(57)【要約】      （修正有）【課題】鉄粉を主成分とした充填剤を用いたカイロであって、湾曲出来るように細長く延びる細長カイロを提供する。【解決手段】所々に仕切り部３を設けて充填剤が袋に収容されているカイロ部２を複数設けた細長カイロ１を身体に巻き付けて着用することで、首、手首、足首などを温めることが出来る。【選択図】図１
0003232385.tif 000002
【実用新案登録請求の範囲】
【請求項１】
鉄粉などを主成分とした充填剤を用いたカイロにおいて、該カイロは湾曲出来るように細長く延びると共に、所々に仕切り部を設けて上記充填剤が袋に収容されているカイロ部を複数設け、複数カイロ部を有す細長カイロを身体に巻き付けて着用することで、首や手首、足首などを温めることが出来るようにしたことを特徴とする湾曲可能な細長カイロ。
【請求項２】
上記充填剤が収容される袋は、長方形のシートを用いて折り曲げ（丸め）、両縁部を接着して細長い筒を形成し、該筒の対向面の所々を接着して仕切り部とし、該仕切り部間に作られる袋に上記充填剤を収容して構成した請求項１記載の細長カイロ。
【考案の詳細な説明】
【技術分野】
【０００１】
本考案は複数のカイロ部が仕切り部にて繋がれて細長く延び、首周りや手首などに巻き付けて使うことが出来る細長カイロに関するものである。
【背景技術】
【０００２】
近年、カイロといえば使い捨てカイロが主流であり、寒い冬になれば、適当な箇所に貼って身体を温めることが出来る。
ところで、カイロの中には充填剤として、鉄粉・水・活性炭・木粉・塩類が入っている。メインの成分は、さびる（酸化する）ことで熱を発生する鉄粉であり、他の成分は酸化をサポートするもので、適当な温度や持続時間が得られるように、工夫した配合となっている。
【０００３】
従来の使い捨てカイロは長方形をなし、肩、腰、背中など、必要とする箇所に貼着して温めることが出来る。
（１）首が冷えた場合
首には太い血管があるため、首を温めるならば全身が効率よく温まる。そして、首を前に曲げた時に、首と背中の間に骨が飛び出している箇所である大椎があり、この大椎にカイロを貼り付けることで全身を温めることが出来る。
首は露出することで寒さを感じ、無意識に身体に力が入り、それが肩や身体のコリの原因になり、身体がだるく感じる。
【０００４】
首の周りの皮膚は薄く、太い動脈が皮膚に近いところにある為に気温の影響を受け易くなり、首が冷えると冷たい血液が全身に流れて身体全体が冷えてしまう。逆に、首を温めることで血行が良くなり、効率よく全身に温かい血液をめぐらすことが出来て身体が温まる。
一方、身体の冷えは自律神経のバランスを崩すことに成り、その為にも首が冷えないようにすることが重要である。
【０００５】
現代人は、通勤中や仕事中、休憩時間など、暇さえあればスマホを使って動画を観たり、ゲームをすることで首に負担のかかる姿勢を長時間とることが多く、首や肩に悩みを持ち、ストレスを感じる人が多い。
図７は頭を傾けた場合に首にかかる負担を表している。例えば、首の傾きが０度の場合には４．５ｋｇ〜５．５ｋｇであり、首の傾きが１５度の場合には約２倍の１２ｋｇ、３０度の場合には約３倍の１８ｋｇ、４５度の場合には約４倍の２２ｋｇ、６０度ともなれば約５倍の２７ｋｇの負荷が働く。
【０００６】
（２）背中
肩から背中にかけて僧帽筋という大きな筋肉があり、この僧帽筋が冷えると血流が悪くなり、筋肉が固くなってしまう。そんな時は、肩甲骨の間を温めるとよい。
（３）お腹
ヘソの僅か下側には気海といわれるツボが存在し、この箇所を温めるならば冷え込んでいる全身を温めることが出来る。
（４）腰・尻
腰は、冷えによる不調を感じ易い場所である。ヘソの真裏には命門というツボがり、そこから僅か外側には腎兪というツボがある。この辺りをカバーするようにカイロを貼ると、腰全体を温めることが出来る。
（５）足
冷えやすい足の中でも、特に指先は温めたいポイントである。全身を温めるには、太い血管がある足首のくるぶし周辺を温めると効果的である。
内くるぶしの後ろで、アキレス腱との間のくぼみには太谿という冷え対策によいと言われるツボがある。
【０００７】
カイロを貼って使う箇所は上記の場合に限るものではなく、カイロの使い方は購入した個人の自由である。
このように、従来の使い捨てカイロはその形状を長方形としたもので、その大きさ（縦横サイズ）も色々あり、肩や腰、背中などの必要とする個所に貼り付けて使うことが出来る。勿論、貼付けタイプでない使い捨てカイロも知られているが、何れのタイプのカイロにしても温められる領域は限定される。
しかし、首の周りを温めるには長方形をした従来の使い捨てカイロでは不便である。同じく、手首を温める場合、また足首を温める場合も不便である。
【考案の開示】
【考案が解決しようとする課題】
【０００８】
寒い時期になると使い捨てカイロの消費量は膨大な数に上がる。しかし、基本的に長方形をした従来の使い捨てカイロは、身体のあらゆる箇所に貼り付けることが出来ない。
本考案が解決しようとする課題は、従来の長方形をした使い捨てカイロとは異なり、首や手首の周りなど、身体に巻き付けて使うことが出来るように湾曲可能な細長カイロを提供する。
【課題を解決するための手段】
【０００９】
本考案に係る細長カイロは、複数のカイロ部を仕切り部にて繋いだ形状とし、湾曲することが出来、その為に身体に巻き付けて使うことを可能としている。
ところで、カイロ部は密閉した袋を形成し、該袋には充填剤として熱を発生する成分を収容し、一般的には、鉄粉・水・活性炭・木粉・塩類が用いられている。メインの成分は、酸化することで熱を発生する鉄粉であり、他の成分は酸化をサポートする役目を有している。
【００１０】
そこで、本考案の細長カイロは手首や首などに巻き付けることが出来るように、所々に仕切り部を設けて複数の袋が繋がっている。そして袋に上記充填剤を入れて複数のカイロ部を設けた形態としている。
ところで、充填剤が収容される袋、及び複数の袋を繋いでいる仕切り部の具体的な形態は限定しないが、一般的には１枚のシートを折り曲げて筒状とし、所定の部分を接着することで、複数の袋と複数の仕切り部を形成することが出来る。そして、各袋には充填剤を収容している。
【考案の効果】
【００１１】
本考案に係る細長カイロは、湾曲することが出来る為に手首や首に巻き付けて使うことが出来る。勿論、肩や腰に貼って使う従来の長方形の使い捨てカイロとは用途が違い、首に巻き付けることで心地よい温かさが維持されて、首の血流を向上することが出来る。
首には太い血管があるため、首を温めるならば全身が効率よく温まる。
【００１２】
首の周りの皮膚は薄く、太い動脈が皮膚に近いところにある為に気温の影響を受け易くなり、首が冷えると冷たい血液が全身に流れて身体全体が冷えてしまうが、首を温めることで血行が良くなり、効率よく全身に温かい血液をめぐらすことが出来て身体が温まる。  一方、身体が温まることで自律神経のバランスが保たれる。同じく手首や足首に巻き付けて使うことで、手足の血流を良くすることが出来る。
細長カイロは充填剤を袋に入れた複数のカイロ部が、仕切り部を介して繋がっていることで、細長カイロを身体に巻き付けて使用する際に、充填剤は偏ることなく手首や首などに手軽に巻き付けすることが出来る。
【図面の簡単な説明】
【００１３】
【図１】湾曲可能な細長カイロを示す実施例で、（ａ）は平面図、（ｂ）は正面図を表している。
【図２】図１のＡ−Ａ断面図。
【図３】図１のＢ−Ｂ断面拡大図。
【図４】本考案の細長カイロを首に巻き掛けした使用例。
【図５】本考案の細長カイロを腕に巻き付けて取付けた使用例。
【図６】本考案の細長カイロを足首に巻き付けて取付けた使用例。
【図７】頭を傾けた際に、首にかかる負荷を示している。
【考案を実施するための形態】
【００１４】
図１は本考案の細長カイロ１を示す実施例であり、（ａ）は平面図、（ｂ）は正面図をそれぞれ表している。同図の２はカイロ部、３は仕切り部であって、同図に示す細長カイロ１は４つのカイロ部２，２・・・を有し、カイロ部２，２・・・は仕切り部３，３・・・にて繋がっている。
したがって、細長カイロ１は湾曲して手首や首に巻き付けることが可能である。
【００１５】
カイロ部２は密閉した袋に充填剤を収容して構成され、該充填剤は主成分として酸化することで熱を発生する鉄粉を有し、その他に酸化をサポートする為の成分である活性炭や木粉、塩類などが混ざり合っている。しかし、充填剤の具体的な含有成分は限定しない。
図２は図１のＡ−Ａ断面を示しているように、袋５に充填剤５を収容した複数のカイロ部２，２・・・は仕切り部３，３・・・を介して繋いだ構造と成っている。
【００１６】
ところで、本考案の細長カイロ１を作る方法は色々あるが、特に限定はしない。例えば、個々の独立した袋５，５・・・に充填剤を収容してカイロ部２，２・・・とし、これらのカイロ部２，２・・・の両端を別のシートで構成した仕切り部３，３・・・によって接着して繋ぐことも出来る。
【００１７】
また、１枚の長方形シートを用い、この長方形シートを折り曲げて（丸めて）長い筒を作り、該筒に一定量の充填剤４，４・・・を入れてカイロ部２，２・・・とし、各カイロ部２，２・・・の間に仕切り部３，３・・・を設けることで細長カイロ１となる。
仕切り部３は折り曲げて（丸めて）作った筒の対向面を接着して作り、収容した充填剤４が移動しないように機能し、その為に該仕切り部３の長さ寸法Ｍは比較的大きくしている。
【００１８】
図３は図１のＢ−Ｂ断面拡大図であり、カイロ部２は概略長円形断面を成し、その厚さは比較的薄くなっていて、首や手首、足首に巻き付けし易い厚さ寸法としている。そして、長方形シート６を折り曲げて筒を作った場合に縁７が設けられ、該縁７は剥がれないように大きな幅寸法としている。
すなわち、長方形シート６を折り曲げて筒を作ると共に、長手方向に一定間隔をおいて袋５，５・・・を形成し、これら各袋５，５・・・に充填剤４，４・・・を収容している。
【００１９】
そして、充填剤４，４・・・を袋５，５・・・に収容することでカイロ部２，２・・・を構成しているが、袋５，５・・・から充填剤４，４・・・が外に漏れないように、また隣の袋５に流れ移動しないように、該袋５，５・・・には縁７，７・・・が設けられ、仕切り部３，３・・・を設けていて、全体形状は細長く延びている。
【００２０】
図４は本考案の細長カイロ１を首に巻き掛けた場合の使用例を表している。すなわち、同図に示すように首の背後に中央部を巻き、両先端部を前方に延ばして巻き掛けすることが出来る。
巻き掛けた細長カイロ１の発熱にて、首の頸動脈が温められて血行が良くなり、温かい血液が流れて首や肩のコリは軽減され、同時に身体全体が温められる。また、首が温められることで、自律神経のバランスが整えられ、ストレスも軽減される。
【００２１】
図５は手首９に本考案の細長カイロ１を巻き付けた使用例を表している。同じ細長カイロ１を使用する場合、首とは細い為に手首９には二重巻きして取付けることが出来る。
図６は足首１０に本考案の細長カイロ１を巻き付けた場合の使用例を表している。足首１０の太さも首周りに比較して細い為に、同図に示すように二重巻きして取付けることが出来る。
このように、本考案の細長カイロ１は手首９及び足首１０に巻き付けることで温められ、手足の冷えを防止出来る。
【符号の説明】
【００２２】
１   細長カイロ
２   カイロ部
３   仕切り部
４   充填剤
５   袋
６   長方形シート
７   縁
８   首
９   手首
10   足首
【図１】
0003232385.tif 000003
【図２】
0003232385.tif 000004
【図３】
0003232385.tif 000005
【図４】
0003232385.tif 000006
【図５】
0003232385.tif 000007
【図６】
0003232385.tif 000008
【図７】
0003232385.tif 000009
【手続補正書】
【提出日】令和3年3月24日(2021.3.24)
【手続補正１】
【補正対象書類名】実用新案登録請求の範囲
【補正対象項目名】全文
【補正方法】変更
【補正の内容】
【実用新案登録請求の範囲】
【請求項１】
鉄粉を主成分とした充填剤を用いたカイロにおいて、該カイロは湾曲出来るように細長く延びると共に、所々に仕切り部を設けて上記充填剤が袋に収容されているカイロ部を複数設け、複数カイロ部を有す細長カイロを身体に巻き付けて着用することで、首や手首、足首を温めることが出来るようにしたことを特徴とする湾曲可能な細長カイロ。
【請求項２】
上記充填剤が収容される袋は、長方形のシートを用いて折り曲げ、両縁部を接着して細長い筒を形成し、該筒の対向面の所々を接着して仕切り部とし、該仕切り部間に作られる袋に上記充填剤を収容して構成した請求項１記載の細長カイロ。